(57)【要約】【課題】モノメチル硫酸アルカリ金属塩を分解すると、ジメチルエーテルが生成する。そのため、ジメチルエーテルの生成量が少ないモノメチル硫酸塩の処理方法が求められていた。【解決手段】モノメチル硫酸塩のアルカリ性水溶液を、メタノールの沸点以上の温度の水に加えながら、生成するメタノールを除去する、モノメチル硫酸塩のアルカリ性水溶液の処理方法。モノメチル硫酸塩のアルカリ性水溶液を、メタノールの沸点以上の温度の水に加えながら、得られる混合物から水及びメタノールを留去することによって、生成するメタノールを除去するモノメチル硫酸塩のアルカリ性水溶液の処理方法が好ましい。【選択図】なし【特許請求の範囲】
【請求項１】
モノメチル硫酸塩のアルカリ性水溶液を、メタノールの沸点以上の温度の水に加えながら、生成するメタノールを除去する、モノメチル硫酸塩のアルカリ性水溶液の処理方法。
【請求項２】
モノメチル硫酸塩のアルカリ性水溶液を、メタノールの沸点以上の温度の水に加えながら、得られる混合物から水及びメタノールを留去することによって、生成するメタノールを除去する、請求項１記載のモノメチル硫酸塩のアルカリ性水溶液の処理方法。
【請求項３】
留去する水及びメタノールの合計量が、モノメチル硫酸塩のアルカリ水溶液に対して１０重量％以上の量である請求項２記載のモノメチル硫酸塩のアルカリ性水溶液の処理方法。
【請求項４】
モノメチル硫酸塩のアルカリ性水溶液が、モノメチル硫酸塩と水酸化物とを含むアルカリ性水溶液である請求項１〜３のいずれかに記載のモノメチル硫酸塩のアルカリ性水溶液の処理方法。
【請求項５】
水酸化物が、アルカリ金属水酸化物である請求項４に記載のモノメチル硫酸塩のアルカリ性水溶液の処理方法。
【請求項６】
ジメチル硫酸を用いてメチル化反応を行い、副生したモノメチル硫酸塩のアルカリ性水溶液を、メタノールの沸点以上の温度の水に加えながら、生成するメタノールを除去する、請求項１〜５のいずれかに記載のモノメチル硫酸塩のアルカリ性水溶液の処理方法。
【請求項７】
ジメチル硫酸を用いてアルコール化合物をメチルエーテル化合物へ変換し、副生したモノメチル硫酸塩のアルカリ性水溶液を、メタノールの沸点以上の温度の水に加えながら、生成するメタノールを除去する、請求項１〜６のいずれかに記載のモノメチル硫酸塩のアルカリ性水溶液の処理方法。
【請求項８】
水と有機溶媒の存在下に、アルコール化合物、ジメチル硫酸及び塩基を混合して、層分離を行うことにより、水層としてモノメチル硫酸塩のアルカリ性水溶液を得、
該アルカリ性水溶液を、メタノールの沸点以上の温度の水に加えながら、生成するメタノールを除去する、請求項１〜７のいずれかに記載のモノメチル硫酸塩のアルカリ性水溶液の処理方法。
【発明の詳細な説明】
【技術分野】
【０００１】
本発明は、モノメチル硫酸塩のアルカリ性水溶液の処理方法に関する。
【背景技術】
【０００２】
非特許文献１には、ジメチル硫酸を用いて、３,４,５−トリヒドロキシ安息香酸のメチル化反応を行うと、モノメチル硫酸ナトリウムが副生することが記載されている。
非特許文献２には、ジメチル硫酸と水とを反応させるとジメチルエーテルが生成することが記載されている。
非特許文献３には、モノメチル硫酸アルカリ金属塩とアルカリ金属水酸化物とを水の存在下で反応させることにより、モノメチル硫酸アルカリ金属塩が分解することが記載されている。
【先行技術文献】
【非特許文献】
【０００３】
【非特許文献１】Organic Syntheses Collective Volume 1, 537-538 (1929)
【非特許文献２】Berichte der deutschen chemischen gesellshaft (A and B series), Vol63, 4, 792-795(1930)
【非特許文献３】Journal of Chemical Society, 1389-1391 (1950)
【発明の概要】
【発明が解決しようとする課題】
【０００４】
モノメチル硫酸アルカリ金属塩を分解すると、ジメチルエーテルが生成する。そのため、ジメチルエーテルの生成量が少ないモノメチル硫酸塩の処理方法が求められていた。
【課題を解決するための手段】
【０００５】
本発明は、以下の発明を含む。
［１］  モノメチル硫酸塩のアルカリ性水溶液を、メタノールの沸点以上の温度の水に加えながら、生成するメタノールを除去する、モノメチル硫酸塩のアルカリ性水溶液の処理方法。
［２］  モノメチル硫酸塩のアルカリ性水溶液を、メタノールの沸点以上の温度の水に加えながら、得られる混合物から水及びメタノールを留去することによって、生成するメタノールを除去する、［１］記載のモノメチル硫酸塩のアルカリ性水溶液の処理方法。
［３］  留去する水及びメタノールの合計量が、モノメチル硫酸塩のアルカリ性水溶液に対して１０重量％以上の量である［２］記載のモノメチル硫酸塩のアルカリ性水溶液の処理方法。
［４］  モノメチル硫酸塩のアルカリ性水溶液が、モノメチル硫酸塩と水酸化物とを含むアルカリ性水溶液である［１］〜［３］のいずれかに記載のモノメチル硫酸塩のアルカリ性水溶液の処理方法。
［５］  水酸化物が、アルカリ金属水酸化物である［４］に記載のモノメチル硫酸塩のアルカリ性水溶液の処理方法。
［６］  ジメチル硫酸を用いてメチル化反応を行い、副生したモノメチル硫酸塩のアルカリ性水溶液を、メタノールの沸点以上の温度の水に加えながら、生成するメタノールを除去する、［１］〜［５］のいずれかに記載のモノメチル硫酸塩のアルカリ性水溶液の処理方法。
［７］  ジメチル硫酸を用いてアルコール化合物をメチルエーテル化合物へ変換し、副生したモノメチル硫酸塩のアルカリ性水溶液を、メタノールの沸点以上の温度の水に加えながら、生成するメタノールを除去する、［１］〜［６］のいずれかに記載のモノメチル硫酸塩のアルカリ性水溶液の処理方法。
［８］水と有機溶媒の存在下に、アルコール化合物、ジメチル硫酸及び塩基を混合して、層分離を行うことにより、水層としてモノメチル硫酸塩のアルカリ性水溶液を得、
該アルカリ性水溶液を、メタノールの沸点以上の温度の水に加えながら、生成するメタノールを除去する、［１］〜［７］のいずれかに記載のモノメチル硫酸塩のアルカリ性水溶液の処理方法。
【発明の効果】
【０００６】
本発明によれば、ジメチルエーテルの生成を抑制し、モノメチル硫酸塩を含むアルカリ水溶液を処理することができる。
【発明を実施するための形態】
【０００７】
本発明は、モノメチル硫酸塩のアルカリ性水溶液を、メタノールの沸点以上の温度の水に加えながら、生成するメタノールを除去する、モノメチル硫酸塩のアルカリ性水溶液の処理方法であり、モノメチル硫酸塩を分解できる。
本発明の処理方法は、常圧下で実施してもよいし、減圧下で実施してもよく、常圧下で実施することが好ましい。
【０００８】
モノメチル硫酸塩のアルカリ性水溶液とは、モノメチル硫酸塩と塩基とを含む水溶液であって、該水溶液はアルカリ性を示す水溶液である。
モノメチル硫酸塩としては、モノメチル硫酸ナトリウム、モノメチル硫酸カリウム、モノメチル硫酸リチウム等のモノメチル硫酸アルカリ金属塩、モノメチル硫酸マグネシウム、モノメチル硫酸カルシウム等のモノメチル硫酸アルカリ金属土類塩が挙げられる。
モノメチル硫酸塩のアルカリ性水溶液中のモノメチル硫酸塩の含有率は、モノメチル硫酸塩のアルカリ性水溶液に対して通常１０〜３０重量％であり、好ましくは１５〜２５重量％である。
【０００９】
塩基としては、水酸化ナトリウム、水酸化カリウム、水酸化リチウム等のアルカリ金属水酸化物、水酸化マグネシウム、水酸化カルシウム等のアルカリ土類金属水酸化物等の水酸化物；炭酸ナトリウム、炭酸カリウム等のアルカリ金属炭酸塩、炭酸マグネシウム、炭酸カルシウム等のアルカリ土類金属炭酸塩等の炭酸塩が挙げられる。好ましくは水酸化物であり、より好ましくはアルカリ金属水酸化物である。
モノメチル硫酸塩のアルカリ性水溶液中の塩基の含有量は、モノメチル硫酸塩１モルに対して通常１〜３モルであり、好ましくは１〜２モルである。
モノメチル硫酸塩のアルカリ性水溶液のｐＨは、７〜１４であればよい。
【００１０】
生成するメタノールを除去する方法は、モノメチル硫酸塩のアルカリ性水溶液を、メタノールの沸点以上の温度の水の中へ加えながら、得られる混合物から水及びメタノールを留去する方法であることが好ましい。
メタノールの沸点以上の温度の水の使用量は、モノメチル硫酸塩のアルカリ性水溶液１重量部に対して通常２〜１０重量部であり、好ましくは２〜５重量部である。
“メタノールの沸点”とは、処理を行う際の圧力に応じたメタノールの沸点であり、常圧下での沸点は、６４℃である。常圧下におけるメタノールの沸点以上の温度の水とは、好ましくは８０〜１５０℃の水であり、より好ましくは９０〜１１０℃の水である。本発明の処理方法は、常圧下で実施してもよいし、減圧下で実施してもよい。減圧下であれば、メタノールの沸点も圧力に応じて変化する。
【００１１】
モノメチル硫酸塩のアルカリ性水溶液をメタノールの沸点以上の温度の水の中へ加える方法は、モノメチル硫酸塩のアルカリ性水溶液をメタノールの沸点以上の温度の水へ滴下する方法であることが好ましい。加える時間は、通常３時間以上、好ましくは６時間以上であり、また通常４８時間以下、好ましくは２４時間以下である。
水及びメタノールを留去する時間は、通常３時間以上、好ましくは６時間以上であり、また通常４８時間以下、好ましくは２４時間以下である。
留去する水及びメタノールの合計量は、モノメチル硫酸塩のアルカリ性水溶液に対して通常１０重量％以上であり、好ましくは５０重量％以上である。また、通常１５０重量％以下であり、好ましくは１００重量％以下である。
【００１２】
水及びメタノールを留去後、残った混合物を加熱することが好ましく、残った混合物を還流させることがより好ましい。加熱時間は通常６時間以上、好ましくは１０時間以上であり、また通常４８時間以下、好ましくは２４時間以下である。加熱温度は、通常8０〜１５０℃であり、好ましくは９０〜１１０℃である。
【００１３】
モノメチル硫酸塩のアルカリ性水溶液は、通常ジメチル硫酸を用いたメチル化反応において、副生する。
ジメチル硫酸を用いたメチル化反応としては、アルコール化合物をメチルエーテル化合物へ変換する反応、カルボン酸化合物をメチルエステル化合物へ変換する反応、アミン化合物をメチルアミン化合物へ変換する反応等の公知の反応（例えば、非特許文献１など）が挙げられる。
【００１４】
アルコール化合物をメチルエーテル化合物へ変換する反応は、通常、水、または水と有機溶媒の存在下に、アルコール化合物、ジメチル硫酸及び塩基を混合することにより実施される。
【００１５】
有機溶媒としては、ジメチル硫酸を用いたメチル化反応に不活性な溶媒が好ましく、キシレン、トルエン等の芳香族炭化水素溶媒、ヘキサン、ヘプタン等の脂肪族炭化水素溶媒及びメチルｔｅｒｔ−ブチルエーテル等のエーテル溶媒が挙げられる。
塩基としては、水酸化ナトリウム、水酸化カリウム等のアルカリ金属水酸化物が挙げられる。
アルコール化合物をメチルエーテル化合物へ変換する反応により得られる反応混合物を、生成したメチルエーテル化合物を含む有機層と、副生したモノメチル硫酸塩を含む水層とに分離し、該水層を、モノメチル硫酸塩のアルカリ性水溶液として得ることができる。
【実施例】
【００１６】
以下、本発明を実施例によりさらに詳しく説明する。
実施例におけるモノメチル硫酸塩の含有量は、イオンクロマトグラフィーにより分析した。
カラム：Thermo  Scientific社製  AG23及びAS23
溶離液：炭酸ナトリウム：炭酸水素ナトリウム＝４．５：０．８（ｍＭ）
流速：１．０ｍＬ／分
発生したジメチルエーテルはガスバッグにより捕集し、ガスクロマトグラフィーにより分析した。
【００１７】
（実施例１）
２−ヒドロキシ−Ｎ−メチル−２−[α−（２，５−キシリロキシ）−o−トリル]アセトアミドの３０重量％キシレン溶液  ６５．４重量部に、２８℃にて４８重量％水酸化ナトリウム水溶液  ２１．５重量部を滴下し、同温度でジメチル硫酸  １３．０重量部を加え、混合物を得た。得られた混合物を２時間保温した後、２−ヒドロキシ−Ｎ−メチル−２−[α−（２，５−キシリロキシ）−o−トリル]アセトアミドに対して１重量部の水を加えた。キシレン層と水層とを分離し、モノメチル硫酸ナトリウムを含む水層（モノメチル硫酸塩のアルカリ性水溶液）５４．５重量部得た。モノメチル硫酸塩のアルカリ性水溶液中のモノメチル硫酸ナトリウムの含有率は１７．９重量％だった。
得られた水溶液  ４７．２重量部を１００℃の水  ２６．８重量部中に、６時間かけて滴下しながら、得られた混合物から水及びメタノールの合計量  ２５．２重量部（メタノールを１０重量％含む。）を留去した。その後、残った混合物を、１０５℃で１３．５時間還流した。
該混合物に含まれるモノメチル硫酸ナトリウムの含量は、１０ｐｐｍ以下であった。
上記処理中に、発生したジメチルエーテルは、０．１重量部であり、処理を行う前のモノメチル硫酸塩のアルカリ性水溶液中に含まれるモノメチル硫酸ナトリウムに対して、５ｍｏｌ％であった。
【００１８】
（比較例）
２−ヒドロキシ−Ｎ−メチル−２−[α−（２，５−キシリロキシ）−o−トリル]アセトアミドの３０重量％キシレン溶液  ５７．１重量部に、２８℃にて４８重量％水酸化ナトリウム水溶液  １８．７重量部を滴下し、同温にてジメチル硫酸  １１．４重量部を加え、混合物を得た。得られた混合物を２時間保温した後、２−ヒドロキシ−Ｎ−メチル−２−[α−（２，５−キシリロキシ）−o−トリル]アセトアミドに対して１重量部の水を加えた。キシレン層と水層を分離し、モノメチル硫酸ナトリウムを含む水層（モノメチル硫酸塩のアルカリ性水溶液）  ４５．４重量部得た。モノメチル硫酸塩のアルカリ性水溶液中のモノメチル硫酸ナトリウムの含有率は１９．４重量％だった。
得られた水溶液を、９３℃で１３．５時間還流した。
上記処理中に発生したジメチルエーテルは、０．９重量部であり、還流を行う前のモノメチル硫酸塩のアルカリ性水溶液に含まれるモノメチル硫酸ナトリウムに対して２９ｍｏｌ％であった。
【産業上の利用可能性】
【００１９】
本発明によれば、ジメチルエーテルの生成を抑制し、モノメチル硫酸塩を含むアルカリ水溶液を処理することができる。